(57)【要約】【課題】  駆動集積回路及び液晶パネルを電気的に連結する時に発生する欠陥を最少化することができる、可撓性印刷回路フィルム及びこれを用いた液晶表示装置を提供する。【解決手段】  本発明の可撓性印刷回路フィルムは、第１導電膜と、前記第１導電膜を支持し、第１及び第２接触孔を有する支持体と、前記第１導電膜を覆う第１保護層とを有し、前記第１導電膜は、前記支持体と前記第１保護層との間に挿入されていることを特徴とする。【選択図】      図４
2005322931.tif 000002
【特許請求の範囲】
【請求項１】
第１導電膜と、
前記第１導電膜を支持し、第１及び第２接触孔を有する支持体と、
前記第１導電膜を覆う第１保護層とを有し、
前記第１導電膜は、前記支持体と前記第１保護層との間に挿入されていることを特徴とする可撓性印刷回路フィルム。
【請求項２】
前記支持体の第１接触孔を通じて前記第１導電膜と連結されており、外部と連結される出力端として使用される第２導電膜をさらに有することを特徴とする請求項１に記載の可撓性印刷回路フィルム。
【請求項３】
前記支持体の第２接触孔を通じて前記第１導電膜と連結されている第３導電膜をさらに有し、前記支持体と共に前記第３導電膜を覆っている第２保護層をさらに有することを特徴とする請求項２に記載の可撓性印刷回路フィルム。
【請求項４】
前記第３導電膜は、前記支持体の第１導電膜が形成されているのとは反対の面に形成されていることを特徴とする請求項３に記載の可撓性印刷回路フィルム。
【請求項５】
前記第２導電膜は、前記支持体の第１導電膜が形成されているのとは反対の面に形成されていることを特徴とする請求項２又は３に記載の可撓性印刷回路フィルム。
【請求項６】
前記第２導電膜と前記第３導電膜とは、互いに所定間隔離隔していることを特徴とする請求項２乃至５のいずれか一項に記載の可撓性印刷回路フィルム。
【請求項７】
第１導電膜と、前記第１導電膜を支持し第１及び第２接触孔を有する支持体と、前記第１導電膜を覆う第１保護層とを有し、第１導電膜は前記支持体と前記第１保護層との間に挿入されている可撓性印刷回路フィルムと、
前記第１導電膜と電気的に連結されているゲート線またはデータ線が形成されている第１表示板と、
前記第１表示板と対向する第２表示板と、
前記第１表示板と第２表示板との間に形成される液晶物質層とを具備することを特徴とする液晶表示装置。
【請求項８】
前記第１表示板及び前記第２表示板は、互いに対向する画素電極及び共通電極を有し、さらに、前記第１表示板には、その第１乃至第３端子が前記ゲート線、前記データ線、及び前記画素電極に各々連結される薄膜トランジスタを有することを特徴とする請求項７に記載の液晶表示装置。
【請求項９】
前記可撓性印刷回路フィルムは、前記支持体の第１接触孔を通じて前記第１導電膜と連結されており、外部と連結される出力端として使用される第２導電膜をさらに有することを特徴とする請求項７に記載の液晶表示装置。
【請求項１０】
前記可撓性印刷回路フィルムは、前記支持体の第２接触孔を通じて前記第１導電膜と連結されている第３導電膜をさらに有することを特徴とする請求項９に記載の液晶表示装置。
【請求項１１】
前記可撓性印刷回路フィルムは、前記支持体と共に前記第３導電膜を囲んでいる第２保護層をさらに有することを特徴とする請求項１０に記載の液晶表示装置。
【請求項１２】
前記第３導電膜は、前記支持体の前記第１導電膜が形成されているのとは反対の面に形成されていることを特徴とする請求項１０又は１１に記載の液晶表示装置。
【請求項１３】
前記第２導電膜は、前記支持体の前記第１導電膜が形成されているのとは反対の面に形成されていることを特徴とする請求項９に記載の液晶表示装置。
【請求項１４】
前記第２導電膜と前記第３導電膜とは、互いに所定間隔離隔していることを特徴とする請求項９、１０、１２、１３のいずれか一項に記載の液晶表示装置。
【請求項１５】
前記第１表示板は、出力端が前記ゲート線と連結されており、入力端が前記第２導電膜と連結されているゲート駆動集積回路をさらに有することを特徴とする請求項７又は９に記載の液晶表示装置。
【請求項１６】
前記第１表示板は、出力端が前記データ線と連結されており、入力端が前記第２導電膜と連結されているデータ駆動集積回路をさらに有することを特徴とする請求項７又は９に記載の液晶表示装置。
【請求項１７】
前記可撓性印刷回路フィルムを通じて前記第１表示板と連結されており、駆動回路を有する印刷回路基板をさらに有することを特徴とする請求項７に記載の液晶表示装置。
【発明の詳細な説明】
【技術分野】
【０００１】
本発明は、印刷回路フィルム及びこれを用いた液晶表示装置に関し、より詳しくは、柔軟性を有する可撓性（ｆｌｅｘｉｂｌｅ）印刷回路フィルム及びこれを用いた液晶表示装置に関する。
【背景技術】
【０００２】
一般的な液晶表示装置（Ｌｉｑｕｉｄ  Ｃｒｙｓｔａｌ  Ｄｉｓｐｌａｙ：ＬＣＤ）は、画素電極及び共通電極が形成されている二つの表示板、及びその間に注入されている誘電率異方性（ｄｉｅｌｅｃｔｒｉｃ  ａｎｉｓｏｔｒｏｐｙ）を有する液晶層を含む。画素電極は、行列形態に配列されていて、薄膜トランジスタ（ＴＦＴ）などのスイッチング素子に連結されて、一行ずつ順次にデータ電圧の印加を受ける。共通電極は、表示板の全面に形成されていて、共通電圧の印加を受ける。画素電極及び共通電極、及びその間の液晶層は、回路的に見ると液晶キャパシタをなし、液晶キャパシタは、これに連結されたスイッチング素子と共に画素を構成する基本単位となる。
【０００３】
このような液晶表示装置では、二つの電極に電圧を印加して液晶層に電界を生成して、この電界の強さを調節して液晶層を通過する光の透過率を調節することによって、所望の画像を表示する。この時、液晶層に一方向の電界が長く印加されることによって発生する劣化現象を防ぐために、フレーム別、行別、または画素別に、共通電圧に対するデータ電圧の極性を反転させて駆動するのが一般的である。
【０００４】
このような液晶表示装置を駆動するためには駆動集積回路が必要であり、一般に、データ駆動集積回路及びゲート駆動集積回路に区分される。この時、駆動集積回路及び二つの基板からなる液晶パネルを電気的に連結するためには、ＴＡＢ（Ｔａｐｅ  Ａｕｔｏｅｄ  Ｂｏｎｄｉｎｇ）実装技術が主に利用されており、ＴＡＢは、ＴＣＰ（Ｔａｐｅ  Ｃａｒｒｉｅｒ  Ｐａｃｋａｇｅ）及びＣＯＦ（Ｃｈｉｐ  Ｏｎ  Ｆｉｌｍ）が最も多く使用されている。このようなＴＡＢ実装技術では、フィルムの上部に駆動集積回路を装着して、駆動集積回路の入力端及び出力端を各々印刷回路基板及び液晶パネルに連結する（例えば、特許文献１参照）。
【０００５】
しかし、このようなＴＡＢ実装技術は、外部の衝撃によって損傷を受けやすいため、このような不良を補完するために、最近はＣＯＧ実装技術が使用されつつある。
ＣＯＧ実装技術は、液晶パネルのガラス基板の上部に直接駆動集積回路を実装する技術であり、ＴＡＢ実装技術で発生しやすい不良を補完している。
【０００６】
しかし、ＣＯＧ実装技術でも、駆動集積回路及び印刷回路基板を電気的に連結するためには可撓性印刷回路（ＦＰＣ：Ｆｌｅｘｉｂｌｅ  ｐｒｉｎｔｅｄ  ｃｉｒｃｕｉｔ）フィルムを使用しなければならないため、不良を完全に除去することはできない。つまり、液晶表示装置を最適化するために、印刷回路基板を液晶パネルの後面で折り曲げる時には、可撓性印刷回路フィルムも曲げなければならないが、この時に可撓性印刷回路フィルムで電気的な信号を伝達する導電性薄膜が断線するという問題点が発生する。
【０００７】
【特許文献１】特開２０００−１９５８９８号公報
【発明の開示】
【発明が解決しようとする課題】
【０００８】
そこで、本発明は上記従来の可撓性印刷回路フィルム及びこれを用いた液晶表示装置における問題点に鑑みてなされたものであって、本発明の目的は、駆動集積回路及び液晶パネルを電気的に連結する時に発生する欠陥を最少化することができる、可撓性印刷回路フィルム及びこれを用いた液晶表示装置を提供することにある。
【課題を解決するための手段】
【０００９】
上述の目的を達成するために、本発明では、可撓性印刷回路フィルムにおいて、支持体（ｂａｓｅ  ｆｉｌｍ）及び保護層（ｃｏｖｅｒ−ｌａｙ）を利用して、信号線が曲がる部分を完全に覆うようにしている。
つまり、上記目的を達成するためになされた本発明による可撓性印刷回路フィルムは、第１導電膜と、前記第１導電膜を支持し、第１及び第２接触孔を有する支持体と、前記第１導電膜を覆う第１保護層とを有し、前記第１導電膜は、前記支持体と前記第１保護層との間に挿入されていることを特徴とする。
【００１０】
前記支持体の第１接触孔を通じて前記第１導電膜と連結されており、外部と連結される出力端として使用される第２導電膜をさらに有することを特徴とする。
前記支持体の第２接触孔を通じて前記第１導電膜と連結されている第３導電膜をさらに有し、前記支持体と共に前記第３導電膜を覆っている第２保護層をさらに有することを特徴とする。
前記第３導電膜は、前記支持体の第１導電膜が形成されているのとは反対の面に形成されていることを特徴とする。
前記第２導電膜は、前記支持体の第１導電膜が形成されているのとは反対の面に形成されていることを特徴とする。
前記第２導電膜と前記第３導電膜とは、互いに所定間隔離隔していることを特徴とする。
【００１１】
上記目的を達成するためになされた本発明による液晶表示装置は、第１導電膜と、前記第１導電膜を支持し第１及び第２接触孔を有する支持体と、前記第１導電膜を覆う第１保護層とを有し、第１導電膜は前記支持体と前記第１保護層との間に挿入されている可撓性印刷回路フィルムと、前記第１導電膜と電気的に連結されているゲート線またはデータ線が形成されている第１表示板と、前記第１表示板と対向する第２表示板と、前記第１表示板と第２表示板との間に形成される液晶物質層とを具備することを特徴とする。
【００１２】
前記第１表示板及び前記第２表示板は、互いに対向する画素電極及び共通電極を有し、さらに、前記第１表示板には、その第１乃至第３端子が前記ゲート線、前記データ線、及び前記画素電極に各々連結される薄膜トランジスタを有することを特徴とする。
前記可撓性印刷回路フィルムは、前記支持体の第１接触孔を通じて前記第１導電膜と連結されており、外部と連結される出力端として使用される第２導電膜をさらに有することを特徴とする。
前記可撓性印刷回路フィルムは、前記支持体の第２接触孔を通じて前記第１導電膜と連結されている第３導電膜をさらに有することを特徴とする。
前記可撓性印刷回路フィルムは、前記支持体と共に前記第３導電膜を囲んでいる第２保護層をさらに有することを特徴とする。
前記第３導電膜は、前記支持体の前記第１導電膜が形成されているのとは反対の面に形成されていることを特徴とする。
前記第２導電膜は、前記支持体の前記第１導電膜が形成されているのとは反対の面に形成されていることを特徴とする。
前記第２導電膜と前記第３導電膜とは、互いに所定間隔離隔していることを特徴とする。
前記第１表示板は、出力端が前記ゲート線と連結されており、入力端が前記第２導電膜と連結されているゲート駆動集積回路をさらに有することを特徴とする。
前記第１表示板は、出力端が前記データ線と連結されており、入力端が前記第２導電膜と連結されているデータ駆動集積回路をさらに有することを特徴とする。
前記可撓性印刷回路フィルムを通じて前記第１表示板と連結されており、駆動回路を有する印刷回路基板をさらに有することを特徴とする。
【発明の効果】
【００１３】
本発明による印刷回路フィルム及びこれを用いた液晶表示装置では、支持体及び保護層が信号線を完全に覆っており、曲がる部分で支持体が信号線を支持しているので、製造工程時等において信号線が損傷するのを防ぐことができるという効果がある。
【発明を実施するための最良の形態】
【００１４】
次に、本発明に係る可撓性印刷回路フィルム及びこれを用いた液晶表示装置を実施するための最良の形態の具体例を図面を参照しながら説明する。
図面では、各層及び領域を明確に表現するために、厚さを拡大して示した。明細書全体で類似した部分については、同一の図面符号を付けた。層、膜、領域、板などの部分が他の部分の“上に”あるとする時、これは他の部分の“真上に”ある場合だけでなく、その中間に他の部分がある場合も意味する。反対に、ある部分が他の部分の“真上に”あるとする時、これはその中間に他の部分がない場合を意味する。
【実施例】
【００１５】
図１は、本発明の一実施例による液晶表示装置のブロック図であり、図２は、本発明の一実施例による液晶表示装置の一つの画素に対する等価回路図である。
図１に示すように、本発明の一実施例による液晶表示装置は、液晶表示板組立体（ｌｉｑｕｉｄ  ｃｒｙｓｔａｌ  ｐａｎｅｌ  ａｓｓｅｍｂｌｙ）３００、これに連結されたゲート駆動部４００及びデータ駆動部５００、データ駆動部５００に連結された階調電圧生成部８００、そしてこれらを制御する信号制御部６００を含む。
【００１６】
液晶表示板組立体３００は、対向する二つの表示板（第１表示板及び第２表示板）１００、２００が結合された液晶パネルであり、等価回路で見ると、複数の表示信号線（Ｇ１−Ｇｎ、Ｄ１−Ｄｍ）、及びこれに連結されていて、ほぼ行列形態に配列された複数の画素（ｐｉｘｅｌ）を含む。
【００１７】
表示信号線（Ｇ１−Ｇｎ、Ｄ１−Ｄｍ）は、ゲート信号（走査信号とも言う）を伝達する複数のゲート線（Ｇ１−Ｇｎ）、及びデータ信号を伝達するデータ線（Ｄ１−Ｄｍ）を含む。ゲート線（Ｇ１−Ｇｎ）は、ほぼ行方向にのびていて、互いにほぼ平行であり、データ線（Ｄ１−Ｄｍ）は、ほぼ列方向にのびていて、互いにほぼ平行である。
【００１８】
各画素は、表示信号線（Ｇ１−Ｇｎ、Ｄ１−Ｄｍ）に連結されたスイッチング素子（Ｑ）、及びこれに連結された液晶キャパシタ（ｌｉｑｕｉｄ  ｃｒｙｓｔａｌ  ｃａｐａｃｉｔｏｒ、ＣＬＣ）及びストレージキャパシタ（ｓｔｏｒａｇｅ  ｃａｐａｃｉｔｏｒ、ＣＳＴ）を含む。ストレージキャパシタ（ＣＳＴ）は必要に応じて省略することができる。
【００１９】
薄膜トランジスタなどで構成されるスイッチング素子（Ｑ）は、下部表示板（第１表示板）１００に形成されていて、三端子素子であって、その制御端子及び入力端子は各々ゲート線（Ｇ１−Ｇｎ）及びデータ線（Ｄ１−Ｄｍ）に連結されており、出力端子は液晶キャパシタ（ＣＬＣ）及びストレージキャパシタ（ＣＳＴ）に連結されている。
【００２０】
液晶キャパシタ（ＣＬＣ）は、下部表示板１００の画素電極１９０及び上部表示板（第２表示板）２００の共通電極２７０を二端子とし、二つの電極１９０、２７０の間の液晶層３は誘電体として機能する。画素電極１９０は、スイッチング素子（Ｑ）に連結されており、共通電極２７０は、上部表示板２００の全面に形成されていて、共通電圧（Ｖｃｏｍ）の印加を受ける。図２とは異なって、共通電極２７０が下部表示板１００に形成される場合もあり、この時には二つの電極１９０、２７０のうちの少なくとも一つが線状または棒状に形成される。
【００２１】
液晶キャパシタ（ＣＬＣ）の補助的な役割を果たすストレージキャパシタ（ＣＳＴ）は、下部表示板１００に形成された別個の信号線（図示せず）及び画素電極１９０またはこれと連結された他の導電体が絶縁体を隔てて重畳して構成され、この別個の信号線には共通電圧（Ｖｃｏｍ）などの決められた電圧が印加される。しかし、ストレージキャパシタ（ＣＳＴ）は、画素電極１９０及びその真上の前段ゲート線が絶縁体を隔てて重畳して構成することもできる。
【００２２】
一方、色表示を実現するためには、各画素が三原色のうちの一つを固有に表示したり（空間分割）、各画素が時間によって交互に三原色を表示するように（時間分割）して、これら三原色の空間的、時間的合計により所望の色相が認識されるようにする。図２は空間分割の一例として、各画素の画素電極１９０に対応する領域に赤色、緑色、または青色の色フィルター２３０が形成されることを示している。図２とは異なって、色フィルター２３０は、下部表示板１００の画素電極１９０上または下に形成することもできる。
【００２３】
液晶表示板組立体３００の二つの表示板１００、２００のうちの少なくとも一つの外側面には、光を偏光させる偏光子（図示せず）が付着されている。
【００２４】
階調電圧生成部８００は、画素の透過率に関する二組の複数の階調電圧を生成する。二組のうちの一組は共通電圧（Ｖｃｏｍ）に対して正の値を有し、他の一組は負の値を有する。
【００２５】
ゲート駆動部４００は、液晶表示板組立体３００のゲート線（Ｇ１−Ｇｎ）に連結されて、外部からのゲートオン電圧（Ｖｏｎ）及びゲートオフ電圧（Ｖｏｆｆ）の組み合わせからなるゲート信号をゲート線（Ｇ１−Ｇｎ）に印加し、通常、複数のゲート駆動集積回路からなる。
【００２６】
データ駆動部５００は、液晶表示板組立体３００のデータ線（Ｄ１−Ｄｍ）に連結されて、階調電圧生成部８００からの階調電圧を選択してデータ信号として画素に印加し、通常、複数のデータ駆動集積回路からなる。
【００２７】
複数のゲート駆動集積回路またはデータ駆動集積回路は、チップの形態でＴＣＰ（Ｔａｐｅ  Ｃａｒｒｉｅｒ  Ｐａｃｋａｇｅ）（図示せず）に実装して、ＴＣＰを液晶表示板組立体３００に付着することもできる。しかし、ＴＣＰを使用せずに、本実施例のように、ガラス基板上にこれら集積回路チップを直接付着することもでき（Ｃｈｉｐ  Ｏｎ  Ｇｌａｓｓ、ＣＯＧ実装方式）、これについては具体的に図面を参照して後述する。一方、駆動集積回路チップと同じ機能をする回路を画素の薄膜トランジスタと共に液晶表示板組立体３００に直接形成することもできる。
【００２８】
信号制御部６００は、ゲート駆動部４００及びデータ駆動部５００などの動作を制御し、印刷回路基板（ＰＣＢ：Ｐｒｉｎｔｅｄ  Ｃｉｒｃｕｉｔ  Ｂｏａｒｄ）で実現される。
【００２９】
次に、このような液晶表示装置の表示動作について、詳細に説明する。
信号制御部６００は、外部のグラフィック制御機（図示せず）から入力映像信号（Ｒ、Ｇ、Ｂ）及びその表示を制御する入力制御信号、例えば垂直同期信号（Ｖｓｙｎｃ）と水平同期信号（Ｈｓｙｎｃ）、メインクロック（ＭＣＬＫ）、データイネーブル信号（ＤＥ）などの印加を受ける。信号制御部６００は、入力映像信号（Ｒ、Ｇ、Ｂ）及び入力制御信号に基づいて、映像信号（Ｒ、Ｇ、Ｂ）を液晶表示板組立体３００の動作条件に合うように適切に処理して、ゲート制御信号（ＣＯＮＴ１）及びデータ制御信号（ＣＯＮＴ２）などを生成した後、ゲート制御信号（ＣＯＮＴ１）をゲート駆動部４００に出力し、データ制御信号（ＣＯＮＴ２）及び処理した映像信号（ＤＡＴ）をデータ駆動部５００に出力する。
【００３０】
ゲート制御信号（ＣＯＮＴ１）は、ゲートオン電圧（Ｖｏｎ）の出力開始を指示する垂直同期開始信号（ＳＴＶ）、ゲートオン電圧（Ｖｏｎ）の出力時期を制御するゲートクロック信号（ＣＰＶ）、及びゲートオン電圧（Ｖｏｎ）の持続時間を限定する出力イネーブル信号（ＯＥ）などを含む。
【００３１】
データ制御信号（ＣＯＮＴ２）は、映像データ（ＤＡＴ）の入力開始を知らせる水平同期開始信号（ＳＴＨ）、データ線（Ｄ１−Ｄｍ）に当該データ電圧を印加することを指示するロード信号（ＬＯＡＤ）、共通電圧（Ｖｃｏｍ）に対するデータ電圧の極性（以下、「共通電圧に対するデータ電圧の極性」を略して「データ電圧の極性」とする）を反転させる反転信号（ＲＶＳ）、及びデータクロック信号（ＨＣＬＫ）などを含む。
【００３２】
データ駆動部５００は、信号制御部６００からのデータ制御信号（ＣＯＮＴ２）によって一つの行の画素に対する映像データ（ＤＡＴ）を順次に受信してシフトさせ、階調電圧生成部８００からの階調電圧のうちの各映像データ（ＤＡＴ）に対応する階調電圧を選択することによって映像データ（ＤＡＴ）を当該データ電圧に変換した後、これを当該データ線（Ｄ１−Ｄｍ）に印加する。
【００３３】
ゲート駆動部４００は、信号制御部６００からのゲート制御信号（ＣＯＮＴ１）によってゲートオン電圧（Ｖｏｎ）をゲート線（Ｇ１−Ｇｎ）に印加して、このゲート線（Ｇ１−Ｇｎ）に連結されたスイッチング素子（Ｑ）を導通させ、これによりデータ線（Ｄ１−Ｄｍ）に印加されたデータ電圧が導通したスイッチング素子（Ｑ）を通じて当該画素に印加される。（言い換えると、ゲート駆動部４００は、信号制御部６００からのゲート制御信号（ＣＯＮＴ１）によってゲートオン電圧（Ｖｏｎ）をゲート線（Ｇ１−Ｇｎ）に印加する。そうすると、このゲート線（Ｇ１−Ｇｎ）に連結されたスイッチング素子（Ｑ）が導通して、データ線（Ｄ１−Ｄｍ）に印加されたデータ電圧が導通したスイッチング素子（Ｑ）を通じて当該画素に印加される。）
【００３４】
画素に印加されたデータ電圧と共通電圧（Ｖｃｏｍ）との差は、液晶キャパシタ（ＣＬＣ）の充電電圧、つまり画素電圧として現れる。液晶分子は画素電圧の大きさによってその配向を異にし、それにより液晶層３を通過する光の偏光が変化する。このような偏光の変化は、表示板１００、２００に付着された偏光子（図示せず）によって光の透過率変化として現れる。
【００３５】
１水平周期（または１Ｈ）｛水平同期信号（Ｈｓｙｎｃ）、データイネーブル信号（ＤＥ）、ゲートクロック（ＣＰＶ）の一周期｝が過ぎれば、データ駆動部５００及びゲート駆動部４００は、次の行の画素に対して同一な動作を繰り返す。このような方式で、１フレーム（ｆｒａｍｅ）の間に全てのゲート線（Ｇ１−Ｇｎ）に対して順次にゲートオン電圧（Ｖｏｎ）を印加して、全ての画素にデータ電圧を印加する。１フレームが終われば次のフレームが始まり、各画素に印加されるデータ電圧の極性が直前のフレームでの極性と反対になるように、データ駆動部５００に印加される反転信号（ＲＶＳ）の状態が制御される（フレーム反転）。この時、１フレーム内でも反転信号（ＲＶＳ）の特性によって一つのデータ線を通じて流れるデータ電圧の極性が反転したり（ライン反転）、一つの画素行に印加されるデータ電圧の極性が互いに反転することもある（ドット反転）。
【００３６】
次に、上述した、本発明の実施例によるＣＯＧ実装技術を適用した液晶表示装置の構造について、具体的に説明する。
図３は、本発明の一実施例による液晶表示装置の構造を示した配置図であり、図４は、図３の液晶表示装置のＩＶ−ＩＶ’線による断面図である。
【００３７】
図３及び図４に示したように、本発明の一実施例によるＣＯＧ実装方式を適用した液晶表示装置は、画素電極１９０、ゲート線（Ｇｎ）及びデータ線（Ｄｍ）、スイッチング素子（Ｑ）などが形成されている下部表示板１００、これと対向する上部表示板２００、下部表示板１００の横側上に実装されていて、出力端がゲート線（Ｇｎ）に各々連結されているゲート駆動集積回路４１０、下部表示板１００の上側上に実装されていて、出力端がデータ線（Ｄｍ）に連結されているデータ駆動集積回路５１０を含む。
【００３８】
また、データ駆動集積回路５１０の入力端が連結されている可撓性印刷回路フィルム５５０、可撓性印刷回路フィルム５５０を通じて下部表示板１００と電気的に連結されている印刷回路基板６５０を含む。この時、下部表示板１００には、データ駆動集積回路５１０の入力端及び可撓性印刷回路フィルム５５０の出力端を電気的に連結する第１信号線５１１が形成されており、可撓性印刷回路フィルム５５０には、第１信号線５１１と連結される第２信号線５５１が形成されている。第１信号線５１１はゲート線（Ｇｎ）またはデータ線（Ｄｍ）からなるのが好ましい。
【００３９】
ここで、本発明の実施例による可撓性印刷回路フィルム５５０は、上記のような第２信号線５５１、第２信号線５５１を支持する支持体（ｂａｓｅｆｉｌｍ）５５６、及び第２信号線５５１が外部の衝撃で損傷したり腐食されるのを防ぐために第２信号線５５１を覆っている保護層（ｃｏｖｅｒ−ｌａｙ）を含む。第２信号線５５１は、第１乃至第３導電膜５５１ａ、５５１ｂ、５５１ｃを含み、保護層は、支持体５５６の上部に位置して、支持体５５６と共に第１導電膜５５１ａを完全に覆っている第１保護層５５４、及び支持体５５６の下部に位置して、支持体５５６及び第３導電膜５５１ｃを完全に覆っている第２保護層５５８を含む。
【００４０】
この時、第２導電膜５５１ｂは、支持体５５６の第１導電膜５５１ａが形成されているのとは反対の面に形成されて、支持体５５６の第１接触孔５５２を通じて第１導電膜５５１ａと連結されており、上下部表示板１００、２００の第１信号線５１１と連結され、可撓性印刷回路フィルム５５０で出力端の役割を果たす。第３導電膜５５１ｃは、支持体５５６の第１導電膜５５１ａが形成されているのとは反対の面に形成されて、第１導電膜５５１ａと第３導電膜５５１ｃとは、支持体５５６の第２接触孔５５３を通じて互いに連結されて、二重構造をなしていて、第２信号線５５１が断線するのを防ぐ。
【００４１】
このような本発明の実施例による可撓性印刷回路フィルム５５０及びこれを用いた液晶表示装置で、支持体５５６及び第１、第２保護層５５４、５５８は、下部表示板１００の第１信号線５１１に連結される経路であるＡ部分で第１及び第３導電膜５５１ａ、５５１ｃを完全に覆っている。特に、製造工程時に曲げられるＡ部分で支持体５５６及び第１保護層５５４、第１導電膜５５１ａが外部に露出しないように完全に覆っており、支持体５５６が第１導電膜５５１ａの下部で第１導電膜５５１ａを支持しているので、製造工程時にＡ部分を通じて可撓性印刷回路フィルム５５０を下方向に曲げて下部表示板１００の下方向に折り曲げても、第１導電膜５５１ａが損傷するのを防ぐことができる。
【００４２】
実質的に、本発明の実施例のように可撓性印刷回路フィルムを含む液晶表示装置を製作して実験した結果、Ａ部分で１８０度の範囲で可撓性印刷回路フィルム５５０を曲げても、第２信号線５５１、特に第１導電膜５５１ａが断線せず、熱衝撃、振動衝撃、ぶら下がり検査などでも不良が発生しなかった。
【００４３】
ここで、図面符号７００は別途の可撓性印刷回路フィルムであり、ゲートｏｎ／ｏｆｆ信号などをゲート駆動集積回路４１０に伝達する信号線を有することができ、このような信号線は可溶性印刷回路フィルム５５０に直接形成されることもできる。
また、別途の可撓性印刷回路フィルムは省略されることもでき、ゲート駆動回路にゲートｏｎ／ｏｆｆ信号などのような信号を伝達するためのゲート印刷回路基板が追加されて、液晶パネルの横側方向に印刷回路フィルムを通じて連結されることもできる。
【００４４】
尚、本発明は、上述の実施例に限られるものではない。本発明の技術的範囲から逸脱しない範囲内で多様に変更実施することが可能である。
【図面の簡単な説明】
【００４５】
【図１】本発明の一実施例による液晶表示装置のブロック図である。
【図２】本発明の一実施例による液晶表示装置の一つの画素に対する等価回路図である。
【図３】本発明の一実施例による液晶表示装置の構造を示した配置図である。
【図４】図３の液晶表示装置のＩＶ−ＩＶ’線による断面図である。
【符号の説明】
【００４６】
３          液晶層
１００、２００    表示板（第１表示板及び第２表示板）
１９０      画素電極
２３０      色フィルター
２７０      共通電極
３００      液晶表示板組立体
４００      ゲート駆動部
４１０      ゲート駆動集積回路
５００      データ駆動部
５１０      データ駆動集積回路
５１１      第１信号線
５５１      第２信号線
５５１ａ    第１導電膜
５５１ｂ    第２導電膜
５５１ｃ    第３導電膜
５５２      第１接触孔
５５３      第２接触孔
５５０      可撓性印刷回路フィルム
５５４      第１保護層
５５８      第２保護層
５５６    支持体
６００    信号制御部
６５０    印刷回路基板
８００    階調電圧生成部
【図１】
2005322931.tif 000003
【図２】
2005322931.tif 000004
【図３】
2005322931.tif 000005
【図４】
2005322931.tif 000006